(57)【要約】【課題】鉄骨材料（梁材）の削減と施工性および施工の安全性等の向上が図れるようにしたＡＬＣ床・壁構造を提供することを目的とする。【解決手段】屋内床の床ばりとしてＨ形鋼からなる鉄骨ばり１を架け渡し、外廊下の床ばりとしてＨ形鋼からなる鉄骨ばり２を架け渡す。鉄骨ばり１と鉄骨ばり２は、双方の上端面が面一になるように同じレベルに架け渡す。鉄骨ばり１，１間の上に屋内床の床パネルとしてＡＬＣ板３を敷設し、鉄骨ばり１と鉄骨ばり２間の上に外廊下の床パネルとしてＡＬＣ板４を鉄骨ばり１および鉄骨ばり２と直交する方向に敷設する。ＡＬＣ板４の上側と下側に外壁パネルとしてＡＬＣ板５を設置する。【選択図】　　　　　　　　　図１
2004132038.tif 000002
【特許請求の範囲】
【請求項１】
屋内床およびその屋外側に設けられた屋外床の床ばりとして、それぞれ鉄骨ばりを同一レベルに設置し、前記鉄骨ばりの上に前記屋内床および屋外床の床パネルとしてそれぞれＡＬＣ板を設置し、かつ前記ＡＬＣ板の上側および／または下側に外壁パネルを設置して構成されてなることを特徴とするＡＬＣ床・壁構造。
【請求項２】
屋内床およびその屋外側に設けられた屋外床の床ばりとして、それぞれ鉄骨ばりを同一レベルに設置し、前記鉄骨ばりの上に前記屋内床および屋外床の床パネルとしてそれぞれＡＬＣ板を設置し、かつ前記ＡＬＣ板の上にサッシを設置する窓台としてＡＬＣサッシ台を、前記ＡＬＣ板の下側に外壁パネルをそれぞれ設置して構成されてなることを特徴とするＡＬＣ床・壁構造。
【請求項３】
屋外床の床パネルとして設置されたＡＬＣ板は、該ＡＬＣ板中の主筋方向が外壁パネルと直交する方向に設置されてなることを特徴とする請求項１または２記載のＡＬＣ床・壁構造。
【請求項４】
外壁パネルはロッキング機構を備え、かつ鉄骨ばりに複数の取付金具によって固定されてなることを特徴とする請求項１〜３のいずれかに記載のＡＬＣ床・壁構造。
【請求項５】
外壁パネルとしてＡＬＣ板が設置されてなることを特徴とする請求項１〜４のいずれかに記載のＡＬＣ床・壁構造。
【請求項６】
ＡＬＣサッシ台は、屋外床の床パネルとして設置されたＡＬＣ板の上に接着材または固定ボルトによって固定されてなることをを特徴とする請求項２〜５のいずれかに記載のＡＬＣ床・壁構造。
【請求項７】
鉄骨ばりの屋外側に屋外床の床パネルとして設置されたＡＬＣ板の板厚をｔとし、かつ前記ＡＬＣ板の上側に外壁パネルとして設置されたＡＬＣ板の板厚の中心と前記鉄骨ばりの横幅の中心との距離をａとしたとき、ａ≦２．５ｔとなるように構成されてなることを特徴とする請求項１〜６のいずれかに記載のＡＬＣ床・壁構造。
【発明の詳細な説明】
【０００１】
【発明の属する技術分野】
本願発明は、軽量気泡コンクリート板（以下「ＡＬＣ板」という）を床および壁パネルとして用いるＡＬＣ床・壁構造に関し、特にベランダやバルコニー、さらには外廊下などの屋外床の床パネルとしてＡＬＣ板を設置することにより、鉄骨材料（梁材）の削減と施工性および施工の安全性の向上が図れるようにしたものである。
【０００２】
【従来の技術】
鉄骨構造の建物でベランダやバルコニー、さらには外廊下などとして屋外の床を設ける方法として、鉄骨ばりの上に床パネルとしてＰＣ板やＡＬＣ板を外壁から突出させて敷設する方法が一般に行われている。
【０００３】
床パネルとしてＰＣ板を用いた場合、その強度を生かし、例えば図５（ａ）に図示するように、屋内床の床ばりとして鉄骨ばり２０を設置し、その上にＰＣ板２１を設置するとともにその一端側２１ａを屋外に片持ち梁式に張り出すことによりベランダや外廊下などの屋外床を構成することができる（例えば、特許文献１参照）。
【０００４】
また、床パネルとしてＡＬＣ板を用いた場合、ＡＬＣ板はＰＣ板に較べて強度が劣ることから、一般にＰＣ板のように片持ち梁式に張り出して設置することができないため、例えば図５（ｂ）に図示するように、屋内床の床ばりとして設置された鉄骨ばり２０とは別に、屋外床の床ばりとして屋外床の先端側にも鉄骨ばり２２を設置し、その上に屋外床の床パネルとして設置されたＡＬＣ板２３の先端側を載置する方法がとられている。
【０００５】
その際、ＡＬＣ板２３は鉄骨ばり２０および鉄骨ばり２２間に、それらと直交させて設けた小ばりの上に載せることによりその長辺方向を外壁に（鉄骨ばり２０の軸方向）に沿わせて設置されている（例えば、特許文献２参照）。
【０００６】
一般的に、雨水が屋内に吹き込んだり、あるいは泥や埃が入り込んだりするのを防止するため、屋外の床は屋内の床より低い位置に設けられており、その方法として、図５（ｃ）に図示するように、屋外床の鉄骨ばり２２を屋内床の鉄骨ばり２０より低い位置に設置し、その上にＡＬＣ板２３を敷設する方法がとられている。
【０００７】
また、図５（ｃ）に図示するように屋内床と屋外床との間に外壁パネルとしてＡＬＣ板２４を取り付ける場合、ＡＬＣ板２４を鉄骨ばり２０の屋外側に取り付け、ＡＬＣ板２４の屋外側にＡＬＣ板２３の屋内側２３ａを支持する床ばりとして鉄骨ばり２５が設置されている。
【０００８】
この場合、ＡＬＣ板２４は例えば図６（ａ）に図示するように、上側のパネルと下側のパネルを直付けに連続させ、それぞれ鉄骨ばり２０に複数の取付金具２６によって固定されている。そして、ＡＬＣ板２４の屋内側に屋内床の床パネルとしてＡＬＣ板２１が設置され、かつＡＬＣ板２４とＡＬＣ板２１との仕口部にモルタルやコンクリート２７が充填されている。
【０００９】
さらに、屋内床と屋外床との間に掃き出し窓としてサッシを取り付けるには、例えば図６（ｂ）に図示するようにＡＬＣ板２４とＡＬＣ板２１との仕口部にモルタルやコンクリート２７を充填して窓台を形成し、その上にサッシの下枠２８を設置する方法がとられている。
【００１０】
【特許文献１】
特開平１１−３３６２３５号公報
【特許文献２】
特開２０００−６４４１５号公報
【００１１】
【発明が解決しようとする課題】
しかし、ベランダやバルコニー等の屋外床の床パネルとしてＡＬＣ板を用いる場合、上述するように屋内床の床ばり（鉄骨ばり２０）とは別に、屋外床の床ばりとして新たに、屋外床の床パネル（ＡＬＣ板２３）の屋内側を支持する床ばり（鉄骨ばり２５）を設ける必要があるため、鉄骨材料、その加工、施工工数がともに増えて相当なコストアップが免れない等の課題があった。
【００１２】
また、屋外床の床パネル（ＡＬＣ板２３）は、外壁（ＡＬＣ板２４）に沿って床ばり（鉄骨ばり２５）と平行に設置されるため、小ばりとしての鉄骨ばりを多数設置する必要とし、この点においても大幅なコストアップが免れない等の課題があった。
【００１３】
さらに、外壁パネルおよび床パネルとしてそれぞれＡＬＣ板２１と２３を設置する際、床パネル２１を設置し、外壁パネルとしてＡＬＣ板２４を設置した後から、屋外床の床パネルとしてＡＬＣ板２３を設置することとなるため、施工性と安全性に問題があった。
【００１４】
本願発明は、以上の課題を解決するためになされたもので、鉄骨材料（梁材）の削減と施工性および安全性の向上、さらに鉄骨材料の削減によるコストダウンを可能にしたＡＬＣ床・壁構造を提供することを目的とするものである。
【００１５】
【課題を解決するための手段】
請求項１記載のＡＬＣ床・壁構造は、屋内床およびその屋外側に設けられた屋外床の床ばりとして、それぞれ鉄骨ばりを同一レベルに設置し、前記鉄骨ばりの上に前記屋内床および屋外床の床パネルとしてそれぞれＡＬＣ板を設置し、かつ前記ＡＬＣ板の上側および／または下側に外壁パネルを設置して構成されてなることを特徴とするものである。
【００１６】
本願発明は屋内床および屋外床の床ばりを同一レベルに設置し、その上に屋内床および屋外床の床パネルを連続して設置することで、これまで屋外床の屋内側端部を支持するために必要とされた床ばりを省略することにより、施工の省力化を可能とし、また床ばりとして用いられる鉄骨材料の削減、さらに床パネルおよび外壁パネルとしてＡＬＣ板を用いることで建物の軽量化による耐震性の向上などを図るものである。
【００１７】
また、屋内床および屋外床の床パネルとしてＡＬＣ板を設置した後、前記ＡＬＣ板を作業足場として、その上側に外壁パネルとしてＡＬＣ板などを設置することにより作業の安全性と効率的施工を図ることができる。
【００１８】
請求項２記載のＡＬＣ床・壁構造は、屋内床およびその屋外側に設けられた屋外床の床ばりとして、それぞれ鉄骨ばりを同一レベルに設置し、前記鉄骨ばりの上に前記屋内床および屋外床の床パネルとしてそれぞれＡＬＣ板をそれぞれ設置し、かつ前記ＡＬＣ板の上にサッシを設置する窓台としてＡＬＣサッシ台を、前記ＡＬＣ板の下側に外壁パネルをそれぞれ設置して構成されてなることを特徴とするものである。
【００１９】
本願発明は、特に屋外床と屋内床との境界部に掃き出し窓を設置する際に、床パネルとして設置されたＡＬＣ板の上に窓台としてＡＬＣサッシ台を設置し、その上にサッシの下枠を設置することにより、これまでモルタルを盛る等して現場で行なっていた窓台の施工を省略してサッシ工事の省力化を可能にしたものである。
【００２０】
なお、この場合のＡＬＣサッシ台は、高さが概ね３０ｃｍ程度とし、屋外床の床パネルとして設置されたＡＬＣ板の上に接着材またはボルトによって取り付けることができる。また、外壁パネルとしてＡＬＣ板を設置することができる。
【００２１】
請求項３記載のＡＬＣ床・壁構造は、請求項１または２記載のＡＬＣ床・壁構造において、屋外床の床パネルとして設置されたＡＬＣ板は、該ＡＬＣ板中の主筋方向が外壁パネルと直交する方向に設置されてなることを特徴とするものである。一般にＡＬＣ板の場合、その長辺方向に主筋が配筋されており、また屋外床のＡＬＣ板がこのように設置されていることで、ＡＬＣ板の支点間距離（スパン）が短くなるため、これまで小ばりとして設置されていた鉄骨ばりを省略することができる。
【００２２】
請求項４記載のＡＬＣ床・壁構造は、請求項１〜３のいずれかに記載のＡＬＣ床・壁構造において、外壁パネルは、ロッキング機構を備え、かつ鉄骨ばりに複数の取付金具によって固定されてなることを特徴とするものである。
【００２３】
外壁パネルがロッキング機構を備えていることで、地震時の水平荷重によるＡＬＣ板の損壊を未然に防止でき、耐震性の向上が図れる。なお、この場合の外壁パネルとしてもＡＬＣ板を用いることできる。
【００２４】
請求項５記載のＡＬＣ床・壁構造は、請求項１〜４のいずれかに記載のＡＬＣ床・壁構造において、外壁パネルとしてＡＬＣ板が設置されてなることを特徴とするものである。外壁パネルとしてＡＬＣ板を用いることによりロッキング機構を設けるのに適し、またＡＬＣ板としてパネル材の統一化を図ることができる。
【００２５】
請求項６記載のＡＬＣ床・壁構造は、請求項２〜５のいずれかに記載のＡＬＣ床・壁構造において、ＡＬＣサッシ台は屋外床の床パネルとして設置されたＡＬＣ板の上に接着材または固定ボルトによって固定されてなることを特徴とするものである。
【００２６】
請求項７記載のＡＬＣ床・壁構造は、請求項１〜６のいずれかに記載のＡＬＣ床・壁構造において、鉄骨ばりの屋外側に屋外床の床パネルとして設置されたＡＬＣ板の板厚をｔとし、かつ前記ＡＬＣ板の上側に外壁パネルとして設置されたＡＬＣ板の板厚（断面）の中心と前記鉄骨ばりの横幅（断面）の中心との距離をａとしたとき、ａ≦２．５ｔとなるように構成されてなることを特徴とするものである。
【００２７】
本願発明は、床パネルとして設置されたＡＬＣ板自体の強度により、床パネルとして設置されたＡＬＣ板の板厚ｔに応じて距離ａを決定するのが良い。例えば、板厚ｔが１００ｍｍのとき、距離ａ≦２５０ｍｍ、板厚ｔが１２５ｍｍのとき、距離ａ≦３１２．５ｍｍとすることができる。
【００２８】
なお、構造上、ａ＞２．５ｔとなる場合には、床パネルとして設置されたＡＬＣ板の、床ばりとして設置された鉄骨ばりとその屋外側に壁パネルとして設置されたＡＬＣ板間を補強すればよい。その補強方法としては、例えば床パネルとして設置されたＡＬＣ板の下側に補強プレートを床ばりから突出させて取り付ける等の方法を用いることができるが、請求項７記載の構造によれば、必ずしもこの補強を行うことなく設置することができる。
【００２９】
【発明の実施の形態】
図１〜図４は、本願発明の一例を示し、図において、屋内床の床ばりとしてＨ形鋼からなる鉄骨ばり１が架け渡され、また屋外床（以下「外廊下」という）の床ばりとしてＨ形鋼からなる鉄骨ばり２が架け渡されている。鉄骨ばり１と鉄骨ばり２は、双方の上端面が面一になるように同じレベルに架け渡され、かつ同じ方向、すなわち外廊下の連続方向に平行に架け渡されている。
【００３０】
また、鉄骨ばり１，１間の上に屋内床の床パネルとしてＡＬＣ板３が敷設され、鉄骨ばり１と鉄骨ばり２間の上に外廊下の床パネルとしてＡＬＣ板４が鉄骨ばり１および鉄骨ばり２と直交する方向に敷設されている。
【００３１】
この場合、ＡＬＣ板３の屋外側端部３ａとＡＬＣ板４の屋内側端部４ａは同じ鉄骨ばり１の上に載置され、かつＡＬＣ板３とＡＬＣ板４は同じレベルで水平に連続して敷設されている。そして、ＡＬＣ板３の上側と下側に外壁パネルとしてＡＬＣ板５がそれぞれ設置されている。したがって、これまで必要とされたＡＬＣ板４の屋内側端部を支持する梁材が省略されている。
【００３２】
ＡＬＣ板３とＡＬＣ板４はそれぞれ、鉄骨ばり１と鉄骨ばり２の上に端部を複数の取付ボルト６によってボルト止めすることにより取り付けられている。この場合、ＡＬＣ板３とＡＬＣ板４の端部、および鉄骨ばり１のフランジ８ａと鉄骨ばり２のフランジ８ａにそれぞれボルト孔７が連通して形成され、このボルト孔７に取付ボルト６が挿着されている。
【００３３】
なお、ボルト孔７はＡＬＣ板３の横幅とほぼ同じ間隔（通常３００ｍｍ〜６００ｍｍピッチ）に形成されており、また原則として予め地上で形成されている。また施工に際し、ボルト孔７に挿入された直後の取付ボルト６はボルト孔７から抜け落ちないように仮締めされている。
【００３４】
外壁パネルとして設置されたＡＬＣ板５は、その下端側と上端側を鉄骨ばり１に複数のピースアングル９といなずま金具１０によって固定することにより取り付けられている。
【００３５】
この場合、ＡＬＣ板５の下端側において、ピースアングル９は、ＡＬＣ板４の上にＡＬＣ板４とともに取付ボルト６によって鉄骨ばり１に取り付けられ、このピースアングル９，９間に定規アングル１１が架け渡されている。なお、この場合の定規アングル１１はピースアングル９，９に溶接またはボルト止め等によって固定されている。
【００３６】
また、いなずま金具１０はＡＬＣ板５の内側に取付ボルト１２によって取り付けられている。そして、ＡＬＣ板５といなずま金具１０で定規アングル１１の立上り片１１ａが強く挟み付けられることで、ＡＬＣ板５の下端部が鉄骨ばり１に強固に固定されている。
【００３７】
一方、ＡＬＣ板５の上端側において、ピースアングル９は、鉄骨ばり１のフランジ８ａに取付ボルト１３によって取り付けられている。また、いなずま金具１０はＡＬＣ板５の内側に取付ボルト１２によって取り付けられている。そして、ＡＬＣ板５といなずま金具１０でピースアングル９の垂下片９ａが強く挟み付けられることで、ＡＬＣ板５の上端部が鉄骨ばり１に強固に固定されている。
【００３８】
外壁パネルとしてのＡＬＣ板５がこのように取り付けられていることにより、ＡＬＣ板５はいわゆる「ロッキング機構」を備えており、したがって、いなずま金具１０の取付ボルト１２はＡＬＣ板５のロッキング機構を損なわないトルク値で締め付けられている。
【００３９】
また、屋内床と屋外床との間に掃出し窓用のサッシを取り付ける場合、ＡＬＣ板４の上にＡＬＣサッシ台１４が取り付けられ、その上側に通しアングル材１５がＡＬＣサッシ台１４の上を覆うように取り付けられている。
【００４０】
この場合のＡＬＣサッシ台１４はＡＬＣ部材として形成され、ＡＬＣ板４の上に接着材によって取り付けられている。また、通しアングル材１５はＡＬＣ板４の上にＡＬＣ板４とともに鉄骨ばり１に取り付けられたピースアングル９，９間に架けわたされている。そして、通しアングル材１５の上にサッシ１６の下枠１６ａが設置されている。
【００４１】
サッシ１６の下枠１６ａがこのように取り付けられていることで、これまで必要とされたサッシの下枠を載置するための、モルタル等の充填により形成される窓台が省略されている。
【００４２】
さらに、図４に図示するように、床パネルとして設置されたＡＬＣ板４の強度上の理由により、鉄骨ばり１とその上側に外壁パネルとして設置されたＡＬＣ板５との距離Ｌは、床パネルとして設置されたＡＬＣ板４の厚さｔによって限定される。
【００４３】
例えば、ＡＬＣ板４の板厚ｔが１００ｍｍの場合、鉄骨ばり１とＡＬＣ板５間の距離Ｌは２５０ｍｍ、またＡＬＣ板４の板厚ｔが１２５ｍｍの場合、鉄骨ばり１とＡＬＣ板５間の距離Ｌは３５０ｍｍに限定される。
【００４４】
したがって、鉄骨ばり１とＡＬＣ板５間の距離Ｌを上記設定値より大きい値でＡＬＣ板５が設置される場合、ＡＬＣ板４の鉄骨ばり１とＡＬＣ板５間の領域が補強されている。この場合の補強方法としては、例えば鉄骨ばり１の縁端部に補強プレート１７をＡＬＣ板４の下側に沿わせてＡＬＣ板５の下端まで突設する補強がなされている。
【００４５】
【発明の効果】
請求項１記載のＡＬＣ床・壁構造は、屋内床および屋外床の床ばりとして、鉄骨ばりがそれぞれ同一レベルに設置されているため、屋内床および屋外床の床パネルを同一レベルに連続させて敷設することができ、これにより屋外床の床パネルの屋内側の端部を支持する屋内側の鉄骨ばりを省略することができるため、施工の省力化、鉄骨材料の削減、さらに床パネルおよび外壁パネルとしてＡＬＣ板を用いることで建物の軽量化による耐震性の向上などを図ることができる。
【００４６】
また、屋内床および屋外床の床パネルとしてＡＬＣ板を設置した後、前記ＡＬＣ板を作業足場として、その上側に外壁パネルを設置することにより作業の安全性と効率的施工を図ることができる。
【００４７】
請求項２記載のＡＬＣ床・壁構造は、特に屋外床と屋内床との境界部に掃き出し窓を設置する際に、床パネルとして設置されたＡＬＣ板の上に窓台としてＡＬＣサッシ台を設置し、その上にサッシの下枠を設置することによりサッシの取り付けを容易にしてサッシ工事の簡略化を図ることができる。
【００４８】
請求項３記載のＡＬＣ床・壁構造は、屋外床の床パネルとして設置されたＡＬＣ板が、該ＡＬＣ板中の主筋方向が外壁パネルと直交する方向に設置されていることで、ＡＬＣ板の支点間距離（スパン）が短くなるため、これまで小ばりとして設置されていた鉄骨ばりを省略することができる。
【００４９】
請求項４記載のＡＬＣ床・壁構造は、外壁パネルがロッキング機構を備えていることで、地震時の水平荷重によるＡＬＣ板の損壊を未然に防止して耐震性の向上を図ることができる。
【００５０】
請求項５記載のＡＬＣ床・壁構造は、外壁パネルとしてＡＬＣ板が設置されていることによりロッキング機構を設けるのに適しているとともに、ＡＬＣ板としてパネル材の統一化を図ることができる。
【００５１】
請求項６記載のＡＬＣ床・壁構造は、特にＡＬＣサッシ台は屋外床の床パネルとして設置されたＡＬＣ板の上に接着材または固定ボルトによって固定されているので、ＡＬＣサッシ台の取り付けが簡単にできる等の効果がある。
【００５２】
請求項７記載のＡＬＣ床・壁構造は、特に鉄骨ばりの屋外側に屋外床の床パネルとして設置されたＡＬＣ板の板厚をｔとし、かつ前記ＡＬＣ板の上側に外壁パネルとして設置されたＡＬＣ板の板厚（断面）の中心と前記鉄骨ばりの横幅（断面）の中心との距離をａとしたとき、ａ≦２．５ｔとなるように構成されていることで、床パネルとして設置されたＡＬＣパネル自体の強度上の問題を解消し、強度上無理のない安定したＡＬＣ床・壁構造を提供することができる。
【図面の簡単な説明】
【図１】（ａ）は屋内床および屋外床の床パネルとしてそれぞれ設置されたＡＬＣ板と外壁パネルとして設置されたＡＬＣ板の取付部を示す縦断面図、（ｂ）は図１（ａ）におけるイ−イ線断面図である。
【図２】図１（ａ）におけるロ部拡大断面図である。
【図３】屋内床および屋外床の床パネルとしてそれぞれ設置されたＡＬＣ板、外壁パネルとして設置されたＡＬＣ板、および窓台の取付部を示す縦断面図である。
【図４】屋内床および屋外床の床パネルとしてそれぞれ設置されたＡＬＣ板と外壁パネルとして設置されたＡＬＣ板の取付部を示す縦断面図である。
【図５】（ａ）は屋内床および屋外床の床パネルとしてそれぞれ設置されたＰＣ板、外壁パネルとして設置されたＡＬＣ板の取付部を示す縦断面図、（ｂ）はバルコニー構造の全体を示す斜視図、（ｃ）は屋内床および屋外床の床パネルとしてそれぞれ設置されたＡＬＣ板、外壁パネルとして設置されたＡＬＣ板の取付部を示す縦断面図である。
【図６】（ａ）は屋内床および屋外床の床パネルとしてそれぞれ設置されたＡＬＣ板、外壁パネルとして設置されたＡＬＣ板の取付部を示す縦断面図、（ｂ）は屋内床および屋外床の床パネルとしてそれぞれ設置されたＡＬＣ板、外壁パネルとして設置されたＡＬＣ板およびサッシの取付部を示す縦断面図である。
【符号の説明】
１　鉄骨ばり（屋内の床ばり）
２　鉄骨ばり（屋外の床ばり）
３　ＡＬＣ板（屋内床の床パネル）
４　ＡＬＣ板（屋外床の床パネル）
５　ＡＬＣ板（外壁パネル）
６　取付ボルト
７　ボルト孔
８ａ　フランジ
９　ピースアングル
９ａ　垂下片
１０　いなずま金具
１１　定規アングル
１２　取付ボルト
１１ａ　立上り片
１３　取付ボルト
１４　ＡＬＣ受け台
１５　通しアングル材
１６　サッシ
１６ａ　サッシの下枠
１７　補強プレート
【図１】
2004132038.tif 000003
【図２】
2004132038.tif 000004
【図３】
2004132038.tif 000005
【図４】
2004132038.tif 000006
【図５】
2004132038.tif 000007
【図６】
2004132038.tif 000008